(57)【要約】      （修正有）【課題】リモコンの置き場所を忘れても容易に見つけることができ載置スペースが小さく、かつリモコンの移動を容易に行うことができるリモコンホルダを提供する。【解決手段】平坦面上に載置可能な基部１１と、基部上に立てられるリモコンをその厚さ方向の両側から挟持するために基部上に対向して設けられた一対の挟持部１２とを有し、基部及び挟持部のうち少なくとも一方が弾性体で形成されたホルダ本体１と、一対の挟持部の互いに対向する対向面を除く側面からなる外側側面に沿って一対の挟持部を囲むように装着され、対向面の上部同士が近づくように一対の挟持部を締め付ける、環状の弾性体で形成されたゴムバンド２とを備える。リモコンの長手方向の一端部が一対の挟持部の間に挿入されることにより、ホルダが装着された状態でリモコンを使用することができる。【選択図】図１
0003185992.tif 000002
【実用新案登録請求の範囲】
【請求項１】
平坦面上に載置可能な基部と、前記基部上に立てられるリモコンをその厚さ方向の両側から挟持するために前記基部上に対向して設けられた一対の挟持部とを有し、前記基部及び前記挟持部のうちの少なくとも一方が弾性体で形成されたホルダ本体と、
前記一対の挟持部の互いに対向する対向面を除く側面からなる外側側面に沿って前記一対の挟持部を囲むように装着され、前記対向面の上部同士が近づくように前記一対の挟持部を締め付ける、環状の弾性体で形成されたバンドとを備え、
前記リモコンの長手方向の一端部が前記一対の挟持部の間に挿入されて前記リモコンが前記基部上に立てられることにより、前記リモコンに装着されるよう構成された、
リモコンホルダ。
【請求項２】
前記一対の挟持部は、その間の間隔が下方に向かうにつれて広くなるように設けられた、
請求項１に記載のリモコンホルダ。
【請求項３】
前記一対の挟持部は、弾性体で形成されるとともに、互いの対向面に、前記外側側面に近接する両側の端部を除いて前記対向面を後退させる凹部が設けられた、
請求項１または２に記載のリモコンホルダ。
【請求項４】
前記一対の挟持部は、互いの対向面の上端部分に、前記一対の挟持部の間に突き出た突出部が設けられた、
請求項１〜３のいずれかに記載のリモコンホルダ。
【考案の詳細な説明】
【技術分野】
【０００１】
本考案は、テレビ等の電化製品を遠隔操作するリモートコントローラ（以下、「リモコン」と記載）を保持するリモコンホルダに関する。
【背景技術】
【０００２】
近年、テレビ、ＤＶＤプレーヤ、エアコン等の電化製品が備えられている家庭が多い。これらの電化製品のリモコンのうち、例えばエアコンのリモコンのように、壁掛けタイプ等の専用のリモコンホルダが付属しているものもある。このような専用のホルダがあっても使用されずに、例えば決められた場所に置くようにしていることもある。また、テレビ、ＤＶＤプレーヤ等のリモコンのように、専用のホルダがないものも、該当する電化製品やテーブルの上など、決められた場所に置くようにしていることが多い。
【０００３】
上記のようにリモコンを決められた場所に置いたり、また、専用のホルダに戻すのは、面倒であり、放置することがある。放置して置き場所を忘れたときには、捜しても容易に見つからないことがよく起こる。このような問題を解消するため、種々の提案がなされている（例えば、特許文献１，２参照）。
【０００４】
特許文献１には、リモコンの両側の側面を挟みつけてリモコンを保持する円弧状のホルダ本体と、このホルダ本体に付設したアンテナ状の目印とを備えたリモコンホルダが開示されている。この場合、アンテナ状の目印を見つけることでリモコンを見つけることができる。
【０００５】
また、特許文献２には、伸縮性のあるコードの両端に柔軟性のあるベルトを設け、このベルトにマジックテープ（登録商標）が設けられたリモコンホルダが記載されている。この場合、コードの一端側のベルトをリモコンに巻きつけてマジックテープ（登録商標）で固定し、他端側のベルトを例えばテーブルの脚に巻きつけてマジックテープ（登録商標）で固定するようにしているので、リモコンが放置されるのを防止できる。
【先行技術文献】
【特許文献】
【０００６】
【特許文献１】特開平１０−３２２７８３号公報
【特許文献２】特開２００４−２８９７６８号公報
【考案の概要】
【考案が解決しようとする課題】
【０００７】
上記の特許文献１のリモコンホルダが装着されているリモコンの場合には、リモコンホルダが装着されていないリモコンの場合と同様、リモコンの操作面が上になった状態で、テーブル等の上に置かれるので、リモコンの載置スペースを小さくすることができない。
【０００８】
また、特許文献２のリモコンホルダの場合には、例えばリモコンの置き場所を変更するなど、リモコンを移動させるときに、例えばテーブルの脚に巻きつけてあるベルトを取り外し、そのベルトを別の場所に取付けなければならず、面倒である。
【０００９】
本考案は上記のような課題を解決するためになされたもので、リモコンの置き場所を忘れても容易に見つけることができるとともに、リモコンの載置スペースを小さくでき、かつリモコンの置き場所の変更等のリモコンの移動を容易に行うことができるリモコンホルダを提供することを目的としている。
【課題を解決するための手段】
【００１０】
上記目的を達成するために、本考案のある形態に係るリモコンホルダは、平坦面上に載置可能な基部と、前記基部上に立てられるリモコンをその厚さ方向の両側から挟持するために前記基部上に対向して設けられた一対の挟持部とを有し、前記基部及び前記挟持部のうちの少なくとも一方が弾性体で形成されたホルダ本体と、前記一対の挟持部の互いに対向する対向面を除く側面からなる外側側面に沿って前記一対の挟持部を囲むように装着され、前記対向面の上部同士が近づくように前記一対の挟持部を締め付ける、環状の弾性体で形成されたバンドとを備え、前記リモコンの長手方向の一端部が前記一対の挟持部の間に挿入されて前記リモコンが前記基部上に立てられることにより、前記リモコンに装着されるよう構成されている。
【００１１】
この構成によれば、リモコンの長手方向の一端部が一対の挟持部の間に挿入されることにより、リモコンに装着されるので、リモコンホルダをリモコンに装着した状態で、リモコンを使用することができる。また、ホルダ本体の基部を平坦面上に載置可能であり、テーブルの上などの平面上にリモコンを起立した姿勢で保持することができ、リモコンの置き場所を忘れても容易に見つけることができるとともに、リモコンの載置スペースを小さくすることができる。また、リモコンホルダが置き場所等に固定されていないので、リモコンホルダを装着した状態で、リモコンの置き場所の変更等のリモコンの移動を容易に行うことができる。
【００１２】
また、前記一対の挟持部は、その間の間隔が下方に向かうにつれて広くなるように設けられていてもよい。
【００１３】
この構成によれば、リモコンの厚みが厚い場合でもリモコンを挟持することができ、厚みの異なる様々なリモコンに使用することができる。
【００１４】
また、前記一対の挟持部は、弾性体で形成されるとともに、互いの対向面に、前記外側側面に近接する両側の端部を除いて前記対向面を後退させる凹部が設けられていてもよい。
【００１５】
この構成によれば、凹部が設けられていることにより挟持部が弾性変形しやすくなり、リモコンの厚みが厚い場合や、例えばリモコンの後面（操作面と反対側の面）が平面状でなく膨らんでいる場合でも、リモコンを容易に挟持することができ、厚みの異なる様々なリモコンに使用することができる。
【００１６】
また、前記一対の挟持部は、互いの対向面の上端部分に、前記一対の挟持部の間に突き出た突出部が設けられていてもよい。
【００１７】
この構成によれば、突出部によってリモコンを確実に挟持することができる。
【考案の効果】
【００１８】
本考案は、以上に説明した構成を有し、リモコンの置き場所を忘れても容易に見つけることができるとともに、リモコンの載置スペースを小さくでき、かつリモコンの置き場所の変更等のリモコンの移動を容易に行うことができるリモコンホルダを提供することができるという効果を奏する。
【図面の簡単な説明】
【００１９】
【図１】本考案の実施形態のリモコンホルダの一例を示す斜視図である。
【図２】（ａ）と（ｂ）は、図１に示すリモコンホルダの使用例を角度を変えて見た斜視図である。
【図３】本考案の実施形態のリモコンホルダの他の例を示す斜視図である。
【考案を実施するための形態】
【００２０】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００２１】
（実施形態）
図１は、本考案の実施形態のリモコンホルダの一例を示す斜視図である。また、図２（ａ）と図２（ｂ）とは、図１に示すリモコンホルダの使用例を角度を変えて見た斜視図である。
【００２２】
このリモコンホルダは、テレビ等の電化製品を遠隔操作するリモコン３（図２）に装着されるものであり、ホルダ本体１と、環状のゴムバンド２とで構成されている。
【００２３】
ホルダ本体１は、基部１１と、この基部１１上に対向して設けられ、リモコン３を挟持するための一対の挟持部１２とが一体化されてなる。基部１１の底面（下面）は例えば平面状であり、基部１１（ホルダ本体１）を平坦面上に載置することができる。
【００２４】
一対の挟持部１２は、その間にリモコン３の長手方向の一端部（下端部）を挿入できるように基部１１上に間隔を空けて設けられている。一対の挟持部１２は、ホルダ本体１の中心軸（＝基部１１の中心軸）Ｐを含む一平面に対して対称（面対称）な構造である。また、各々の挟持部１２は、左右対称構造である。
【００２５】
各挟持部１２の外側側面には、ゴムバンド２を装着するための溝１２Ａが形成されている。装着されたゴムバンド２によって、一対の挟持部１２がその上部同士が近づくように締め付けられるように、ゴムバンド装着用の溝１２Ａは、各挟持部１２においてその高さ方向の略真ん中当たりからそれより上部にかけて設けられている。
【００２６】
一対の挟持部１２の互いに対向する面（対向面）である内側側面は、上部突出部１２Ｃを除く内側側面部１２Ｂと、この上部に内側側面部１２Ｂよりも内側に突き出た上部突出部１２Ｃとによって形成されている。
【００２７】
本例の場合、内側側面部１２Ｂは、外側側面に近接する両側の内側側面部１２Ｂ１の間に、凹部１２Ｂ２が形成されている。また、上部突出部１２Ｃは、両側の突出部１２Ｃ１の間に、凹部１２Ｃ２が形成されている。
【００２８】
また、一方の挟持部１２の内側側面部１２Ｂと、他方の挟持部１２の内側側面部１２Ｂとの間隔が、上方に向かうにつれて狭くなるように（下方に向かうにつれて広くなるように）、各々の内側側面部１２Ｂの表面が上方になるほど内側へ傾斜している。
【００２９】
ホルダ本体１は、例えば、シリコンゴムからなる弾性体で形成されている。また、ゴムバンド２は、例えば、ホルダ本体１より硬いシリコンゴムからなる弾性体で形成され、各挟持部１２の溝１２Ａに沿うようにして、ホルダ本体１に装着される。
【００３０】
このリモコンホルダを使用する際、すなわち、リモコンホルダをリモコン３に装着する際には、例えば、図１に示すように、ホルダ本体１にゴムバンド２を装着した状態で、図２に示すように、リモコン３の最下端が基部１１に接するように、リモコン３の下端部を一対の挟持部１２の間に差し込むだけでよい。
【００３１】
すなわち、このリモコンホルダは、リモコン３の厚さ方向が一対の挟持部１２の対向方向と一致または略一致し、かつリモコン３の長手方向が挟持部１２の高さ方向（＝基部１１の厚さ方向）と一致または略一致するようにして、リモコン３の長手方向の下端部が一対の挟持部１２の間に挿入されて、リモコン３が基部１１上に立てられた状態となることにより、リモコン３に装着される。
【００３２】
このとき、ゴムバンド２によって一対の挟持部１２の上部が近づく方向に締め付けられていることにより、一対の挟持部１２によってリモコン３がその厚さ方向の両側から挟持されて、リモコンホルダがリモコン３に装着される。また、各挟持部１２の対向面の上端部分に上部突出部１２Ｃ（特に突出部１２Ｃ１）が設けられていることにより、リモコン３を確実に挟持することができる。
【００３３】
また、一対の挟持部１２の間隔が、下方に向かうにつれて広くなっていることにより、リモコン３の厚みが厚い場合でも、リモコン３を挟持することができ、厚みの異なる様々なリモコンに使用することができる。
【００３４】
さらに、各挟持部１２に凹部１２Ｂ２及び凹部１２Ｃ２が設けられていることにより、挟持部１２が弾性変形しやすくなり、リモコン３の厚みが厚い場合や、図２（ｂ）に示すようにリモコン３の後面（操作面３Ａと反対側の面）が平面状でなく膨らんでいる場合でも、リモコン３を容易に挟持することができ、厚みの異なる様々なリモコンに使用することができる。
【００３５】
なお、図２では、図示していないが、リモコン３の操作面（前面）３Ａには、操作ボタン等が設けられている。通常、リモコン３の主な操作ボタンは、装着されたリモコンホルダより上部に設けられており、リモコンホルダを装着した状態で、電化製品の操作を行うこと（すなわちリモコン３を使用すること）ができる。そのため、リモコン３をリモコンホルダから取り出す（あるいは取り外す）等の手間がかからない。
【００３６】
また、このリモコンホルダは、リモコン３を基部１１上に立てられた状態で挟持し、基部１１の底面が下になるようにしてホルダ本体１を平坦面上に載置することができるので、例えば、リモコンホルダをテーブルの上などの水平あるいは略水平な面上に置いて、図２に示すようにリモコン３を起立した姿勢で保持することができる。
【００３７】
上述のように本実施形態では、リモコンホルダをリモコン３に装着した状態で、リモコン３を使用することができるとともに、テーブルの上などの平面上にリモコン３を起立した姿勢で保持することができる。このように、リモコン３を起立した姿勢で保持できるので、リモコン３の置き場所を忘れても容易に見つけることができるとともに、リモコン３の載置スペースを小さくすることができる。また、リモコンホルダが置き場所等に固定されていないので、リモコンホルダを装着した状態で、リモコン３の置き場所の変更等のリモコン３の移動を容易に行うことができる。
【００３８】
なお、上記例のように、内側側面部１２Ｂ及び上部突出部１２Ｃに、それぞれ凹部１２Ｂ２、凹部１２Ｃ２を形成するほうがより好ましいが、それぞれ凹部１２Ｂ２、凹部１２Ｃ２が形成されずに、両側の内側側面部１２Ｂ１が平面状に繋がった形状で内側側面部１２Ｂが構成され、かつ、両側の突出部１２Ｃ１の側面が平面状に繋がった形状で上部突出部１２Ｃが構成されていてもよい。この場合の一例を図３に示している。
【００３９】
また、図１及び図３に示す各例では、基部１１の平面形状を円形にしたが、これに限られない。例えば、楕円形、方形（正方形、長方形）等の形状にしてもよい。そして、基部１１の平面形状に合わせて一対の挟持部１２の外側側面が形成されていてもよい。
【００４０】
また、図１及び図３に示す各例のように、基部１１及び一対の挟持部１２からなるホルダ本体１全体を同一の弾性体（例えばシリコンゴム）で形成することにより、ホルダ本体１を容易に作製できるが、これに限られない。例えば、基部１１及び一対の挟持部１２のうちのいずれか一方のみを弾性体で形成し、一対の挟持部１２の対向面の上部同士が近づくようにしなうことができ、かつ、遠ざかるようにしなうことができるようにホルダ本体１が構成されていてもよい。
【産業上の利用可能性】
【００４１】
本考案は、リモコンの置き場所を忘れても容易に見つけることができるとともに、リモコンの載置スペースを小さくでき、かつリモコンの置き場所の変更等のリモコンの移動を容易に行うことができるリモコンホルダ等として有用である。
【符号の説明】
【００４２】
１  ホルダ本体
２  ゴムバンド
３  リモコン
１１  基部
１２  挟持部
１２Ａ  溝
１２Ｂ  内側側面部
１２Ｂ１  内側側面部
１２Ｂ２  凹部
１２Ｃ  上部突出部
１２Ｃ１  突出部
１２Ｃ２  凹部
【図１】
0003185992.tif 000003
【図２】
0003185992.tif 000004
【図３】
0003185992.tif 000005